【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
下基板に信号電極、上基板に対向電極を設け、
上下基板間に有機モノマーを溶解した液晶を封入してあり、
信号電極と対向電極が対向する領域は、有機モノマーの重合により透明固形物と液晶からなる混合液晶層が形成され、電圧の印加または無印加により、透明固形物と液晶の光学屈折率差が変化して光の透過度と散乱度が制御可能であって、電圧無印加時に光の散乱度が高く、電圧印加時に光の透過度が高く、
信号電極と対向電極が存在しない領域は、有機モノマーの重合がほとんど進行しておらず、常時、光の透過度が高いことを特徴とする液晶表示パネル。
【請求項２】
請求項１に記載の液晶表示パネルにおいて、
前記光の透過度が常時大きな領域内に、前記電圧無印加時に光の散乱度が高い領域を設けたことを特徴とする液晶表示パネル。
【請求項３】
請求項１に記載の液晶表示パネルにおいて、
信号電極と対向電極間の混合液晶層の形成領域の輪郭を、信号電極と対向電極の重なる領域の輪郭よりも若干内側にしたことを特徴とする液晶表示パネル。
【請求項４】
請求項１に記載の液晶表示パネルにおいて、
前記電圧無印加時に光の散乱度が高い領域に、反射板を設けたことを特徴とする液晶表示パネル。
【請求項５】
請求項１に記載の液晶表示パネルにおいて、
前記電圧無印加時に光の散乱度が高い領域と、前記、常時、透過率の高い領域に、光の透過率の異なる反射板をそれぞれ設けたことを特徴とする液晶表示パネル。
【請求項６】
請求項４または請求項５に記載の液晶表示パネルにおいて、
前記反射板は下基板と混合液晶層の間に設けたことを特徴とする液晶表示パネル。
【請求項７】
請求項４または請求項５に記載の液晶表示パネルにおいて、
前記反射板は下基板の下層に設けたことを特徴とする液晶表示パネル。
【請求項８】
請求項１に記載の液晶表示パネルにおいて、
前記、常時、光の透過度が高い領域の有機モノマーの重合の進行を防止するために、上基板上に４２０ナノメートル以下の短波長の光を吸収する紫外線吸収層を設けたことを特徴とする液晶表示パネル。
【請求項９】
請求項１ないし請求項８のいずれかに記載の液晶表示パネルにおいて、
前記下基板の下層に、光を受けて発電する太陽電池を設けたことを特徴とする液晶表示パネル。
【請求項１０】
下基板上に透明導電膜からなる信号電極を所定の形状にパターン形成する工程と、
上基板上に透明導電膜からなる対向電極を所定に形状にパターン形成する工程と、
上基板と下基板とを所定の間隙を設けて貼りあわせる工程と、
前記上基板と下基板との間隙に混合液晶層を注入する工程と、
混合液晶層に紫外線を照射して混合液晶層に透明固形物を形成する工程とを有する液晶表示パネルにおいて、
前記紫外線を照射する工程は、波長またはエネルギーの異なる紫外線を順次照射する工程を有することを特徴とする液晶表示パネルの製造方法。
【請求項１１】
下基板上に透明導電膜からなる信号電極を所定の形状にパターン形成する工程と、
上基板上に透明導電膜からなる対向電極を所定に形状にパターン形成する工程と、
前記下基板の下層に反射板をパターン形成する工程と、
上基板と下基板とを所定の間隙を設けて貼りあわせる工程と、
前記上基板と下基板との間隙に混合液晶層を注入する工程と、
混合液晶層に紫外線を照射して混合液晶層に透明固形物を形成する工程とを有する液晶表示パネルにおいて、
前記紫外線を照射する工程は、波長またはエネルギーの異なる紫外線を下基板側と上基板側からそれぞれ照射する工程を有することを特徴とする液晶表示パネルの製造方法。
【請求項１２】
下基板の混合液晶層側に反射板をパターン形成する工程と、
下基板上に反射板を覆って絶縁膜を形成する工程と、
該絶縁膜上に透明導電膜からなる信号電極を所定の形状にパターン形成する工程と、
上基板上に透明導電膜からなる対向電極を所定に形状にパターン形成する工程と、
前記上基板と下基板とを所定の間隙を設けて貼りあわせる工程と、
前記上基板と下基板との間隙に混合液晶層を注入する工程と、
混合液晶層に紫外線を照射して混合液晶層に透明固形物を形成する工程とを有する液晶表示パネルにおいて、
前記紫外線を照射する工程は、波長またはエネルギーの異なる紫外線を下基板側と上基板側からそれぞれ照射する工程を有することを特徴とする液晶表示パネルの製造方法。
【請求項１３】
請求項１０に記載の液晶表示パネルの製造方法において、
前記波長またはエネルギーの異なる紫外線を照射する際に、紫外線を透過する部分と非透過の部分とを有するマスクを用いることを特徴とする液晶表示パネルの製造方法。
【手続補正２】
【補正対象書類名】明細書
【補正対象項目名】０００６
【補正方法】変更
【補正の内容】
【０００６】
さらに、前述の構造の液晶表示パネルを、時計ケース３１と裏蓋（図示せず）と風防ガラスの内部に収納する。前記液晶表示パネルの裏蓋側（下側）には、下基板１と所定の間隙を介して設ける反射板（図示せず）と、さらに回路基板（図示せず）と回路および混合液晶層１１を駆動するための電池（図示せず）を配置する。
【手続補正３】
【補正対象書類名】明細書
【補正対象項目名】０００７
【補正方法】変更
【補正の内容】
【０００７】
また、液晶表示パネルへ所定の電圧を印加するための接続は、導電性材料と絶縁性材料を積層するゼブラゴムによって行い、上基板６上の接続電極８と対向電極７に接続してい
る。また、下基板１と反射板とのあいだには、外部光源（図示せず：主光源）が暗い場合に点灯する補助光源である発光ダイオード（ＬＥＤ）を有する。混合液晶層１１が散乱性であることと、小面積液晶表示パネルであるため、鏡面の反射板を使用しても、均一な照明を得ることができる。
【手続補正４】
【補正対象書類名】明細書
【補正対象項目名】００１０
【補正方法】変更
【補正の内容】
【００１０】
従来技術における混合液晶層１１の材料としては、たとえば、大日本インキ製のＰＮＬ−１５６がある。ＰＮＬ−１５６は、相分離温度以上の温度で、下基板と上基板との間隙に注入し、さらに、相分離温度より２℃ほど高い温度にて、紫外線を照射する。混合液晶層の透明固形物は、アクリル系の高分子からなり、電圧無印加時には、散乱状態となる。この状況を図１７に示してあり、表示部（破線）７８とその間隙７９とは同一の散乱状態となっている。
【手続補正５】
【補正対象書類名】明細書
【補正対象項目名】００１４
【補正方法】変更
【補正の内容】
【００１４】
さらに、液晶表示パネルの裏面に太陽電池装置を配置する場合には、液晶表示パネルの表示を行っていない場合に低消費電力にして、できるだけ大きな面積を透過状態とし、太陽電池装置の発電効率を大きくすることが重要となる。すなわち、混合液晶層へ電圧無印加時に透明であることが重要となる。
【手続補正６】
【補正対象書類名】明細書
【補正対象項目名】００２３
【補正方法】削除
【補正の内容】
【手続補正７】
【補正対象書類名】明細書
【補正対象項目名】００２８
【補正方法】変更
【補正の内容】
【００２８】
この構成は、透明状態の領域に散乱部を表示する場合には、非常に有効である。たとえば、カメラ用ファインダー内の表示、時計の風防ガラス上の表示、液晶表示パネルと太陽電池装置との組み合わせの場合には、非常に好都合である。
【手続補正８】
【補正対象書類名】明細書
【補正対象項目名】００２９
【補正方法】変更
【補正の内容】
【００２９】
さらに、散乱度の異なる領域毎に反射板を設けることにより、独自にコントラストを調整することができる。また、混合液晶層内の透明固形物の量の少ない領域では、液晶表示パネルへの紫外線、または短波長の光の照射により、透明固形物の再生が発生するため、紫外線を遮断する必要がある。実験では、４２０ｎｍより短波長の光の照射を防止する必要があるため、４２０ｎｍより短波長の光を反射、あるいは吸収するフィルターを利用す
ることにより、液晶表示パネルの信頼性が非常に向上した。
【手続補正９】
【補正対象書類名】明細書
【補正対象項目名】００３０
【補正方法】変更
【補正の内容】
【００３０】
また、紫外線を選択的に照射するためのマスクと反射板とを兼用することにより、散乱度の大きな表示部と透過率の大きな非表示部とを反射板と自己整合的に作成可能なため、小さい表示部の形成に有効である。また、波長の異なる光の照射方向を別にすることにより、さらに透過率を可変とすることができる。
【手続補正１０】
【補正対象書類名】明細書
【補正対象項目名】００３２
【補正方法】変更
【補正の内容】
【００３２】
また、混合液晶層内の透明固形物の重合を抑制する重合停止光を照射する工程においては、重合停止光を照射しない部分には、重合停止光を遮光するマスクを利用して照射するか、または反射電極を兼用する信号電極をマスクに利用する。あるいは、小面積に集光するビーム光を利用してマスクなしで照射する方法を採用することにより、簡単に同一液晶表示パネル内に散乱性の異なる領域を形成することができる。さらに、重合停止光のエネルギー、あるいは、重合開始光のエネルギーを複数種類使用することにより、複数の散乱性を有する領域を形成することができる。
【手続補正１１】
【補正対象書類名】明細書
【補正対象項目名】００３４
【補正方法】変更
【補正の内容】
【００３４】
【発明の実施の形態】
以下に本発明を実施するための最良の形態における液晶表示パネルと液晶表示パネルを利用する時計装置について図面を参照しながら説明する。図１は、本発明の第１の実施形態に利用する液晶表示装置として時計装置を示す平面模式図である。図２は、図１における７セグメントからなる画素部を拡大して示す平面図である。図３は、図１に示すＢ−Ｂ線における時計装置の断面模式図である。図４は、図３の液晶表示パネルの一部を拡大する断面図である。
以下に、図１と図２と図３と図４とを交互に用いて本発明の第１の実施形態を説明する。
【手続補正１２】
【補正対象書類名】明細書
【補正対象項目名】００３５
【補正方法】変更
【補正の内容】
【００３５】
＜第１の実施形態：図１ないし図４＞
下基板１上には、透明導電膜からなるセグメント型の信号電極２を設ける。下基板１と所定の間隙を設けて配置する上基板６上には、信号電極２と相互に重なり合う透明導電膜からなる対向電極７を設ける。信号電極２と対向電極７との重なり部が画素部となる。下基板１を下側に配置し、上基板６を上側（観察側）に配置する。また、下基板１上の信号
電極２を上基板６上に電気的に配置転換するための接続電極８を有する。下基板１上の信号電極２は、シール材１３に含む導電性ビーズ１２を介して、上基板６上の接続電極８へ電気的に接続する。下基板１と上基板６は、所定の間隙を設けてシール材１３により貼りあわせ、液晶と透明固形物との混合液晶層１１を封入している。
【手続補正１３】
【補正対象書類名】明細書
【補正対象項目名】００３９
【補正方法】変更
【補正の内容】
【００３９】
以上の条件により作成する液晶表示パネルは、図１の時計装置の表示に示すように、信号電極２と対向電極７との電圧により、透過率の大きな領域内に散乱状態の表示が可能となる。
時計装置の表示は、午前午後表示部４１と時刻表示部４２と分表示部４３とがあり、分表示部４３の一部だけに電圧を印加している状態を示している。電圧を印加していない部分を実線、印加している部分を破線で示している。
【手続補正１４】
【補正対象書類名】明細書
【補正対象項目名】００４１
【補正方法】変更
【補正の内容】
【００４１】
また、液晶表示パネルへ所定の電圧を印加するための接続は、導電性材料と絶縁性材料を積層するゼブラゴム３６により行い、ゼブラゴム３６は、上基板６上の接続電極８と対向電極７とに接続している。下基板１上の信号電極２は、シール材１３に含む導電性ビーズ１２によって、電気的に上基板６上の接続電極８へ配置転換している。また下基板１と反射板２２とのあいだには、主光源となる外部光源（図示せず：主光源）が暗い場合に点灯する発光ダイオード３８を有する。これは、補助光源として機能する。また、混合液晶層１１が散乱性を有するため、鏡面の反射板２２を使用しても、混合液晶層１１により散乱と反射をするため、均一は面光源となる。
【手続補正１５】
【補正対象書類名】明細書
【補正対象項目名】００４３
【補正方法】変更
【補正の内容】
【００４３】
また、時計装置には、時刻合わせ、表示内容の切り替え、ブザーの停止用の調整ボタン４５を有する。また、上基板６上には、混合液晶層１１への紫外線の照射と反射板２２への紫外線の照射による色の劣化を防止すること、および反射板への外部光源の光を有効に入射するために、反射防止処理を有する紫外線カットフィルム２１を設けている。
【手続補正１６】
【補正対象書類名】明細書
【補正対象項目名】００４４
【補正方法】変更
【補正の内容】
【００４４】
以上の構成を採用することにより、見切り板３７の開口部の液晶表示パネルの表示として、透明な領域中に散乱部を表示することができる。従来、外部光源を利用する表示の場合に、透過性を向上するために大きな電圧が必要であり、明るい表示のためには、時計装置の消費電力を大きくする必要があったが、電圧の印加が無い状態で背景領域の透過率を
大きくしておき、小面積の表示箇所のみ電圧印加により散乱性を増加するので、消費電力が小さい状態にて表示を行うことが可能となった。
【手続補正１７】
【補正対象書類名】明細書
【補正対象項目名】００４６
【補正方法】変更
【補正の内容】
【００４６】
＜第２の実施形態：図５＞
つぎに本発明の第２の実施形態を図面に基づいて説明する。図５は本発明の第１の実施形態の図４に相当するの別の実施形態の構造を示す断面模式図である。本第２の実施形態においては、下基板１の下側に透明の色フィルム７１と板状の太陽電池７２と太陽電池７２を下基板６に密着するためのスぺーサー７６を有するものである。以下に、図５を用いて第２の実施形態を説明する。
【手続補正１８】
【補正対象書類名】明細書
【補正対象項目名】００４９
【補正方法】変更
【補正の内容】
【００４９】
また、下基板１の下側には、太陽電池７２を設ける。前記太陽電池７２には、所定の電圧、または、電流を発生するために複数の発電ブロックがあり、発電ブロック間の色が異なるため、上基板６の上方から観察者に太陽電池７２の形状が認識されるため、太陽電池７２を反射板として利用する場合には、液晶表示パネルの表示が認識し難くなる。そこで、本第２の実施形態においては、太陽電池７２と下基板６との間に太陽電池７２の発電に有効な波長を透過する透過性、かつ光沢を有する色フィルム７１を設けている。色フィルム７１は、４００ナノメートル（ｎｍ）から５５０ナノメートル（ｎｍ）を大きく透過する色フィルム７１を利用している。
【手続補正１９】
【補正対象書類名】明細書
【補正対象項目名】００５０
【補正方法】変更
【補正の内容】
【００５０】
太陽電池７２と色フィルム７１と下基板１を密着させるために、ゴムからなるスペーサー７６を太陽電池７２の下側に配置し、下基板１と太陽電池７２との位置ずれを防止している。また、色フィルム７１の歪みによる反射板としての品質の低下を防止している。
【手続補正２０】
【補正対象書類名】明細書
【補正対象項目名】００５４
【補正方法】変更
【補正の内容】
【００５４】
透明固形物は、液晶に有機モノマーを溶解しておき、下基板１と上基板６との間隙に注入を行った後に、紫外線を照射して形成する。第１の実施形態と同じように、信号電極２と対向電極７との重なり合う面積より僅かに小さい散乱部に相当する部分以外の領域と、表示部の周囲（後述の散乱部７７）以外の領域に波長の長い近紫外光を照射し、有機モノマーの重合開始を阻害しておき、つぎに、散乱部に３６０ナノメートル（ｎｍ）より長波長の光を照射し、散乱状態とする。
【手続補正２１】
【補正対象書類名】明細書
【補正対象項目名】００５６
【補正方法】変更
【補正の内容】
【００５６】
以上により、中央の散乱部７３に相当する部分は、金色の背景に散乱による金白色の表示となる。透過部７５は、青色となり、周囲の散乱部７７は、白色となり、反射板２２と複数の散乱部との組み合わせにより、デザイン性と色々な組み合わせの表示が可能となる。以上の効果は、高分子モノマーに照射する光の波長を制御することにより、複数の透過部を散乱部内に設けることが可能となったからである。
【手続補正２２】
【補正対象書類名】明細書
【補正対象項目名】００５７
【補正方法】変更
【補正の内容】
【００５７】
＜第４の実施形態：図８＞
以下に本発明の第４の実施形態を図面に基づいて説明する。図８は第３の実施形態における図６のＣ−Ｃ線に相当する部分の別の実施形態を示す断面模式図である。本第４の実施形態においては、下基板上に反射板を形成し、前記反射板を高分子モノマーの光照射用のマスクとする構造であり、さらに、下基板の下側には、光源部を設ける構造である。以下に、図８を用いて第４の実施形態を説明する。
【手続補正２３】
【補正対象書類名】明細書
【補正対象項目名】００５８
【補正方法】変更
【補正の内容】
【００５８】
下基板１上には、光の透過率が同じとは限らない反射板８５、８６、８７を有する。反射板には、画素部に相当する部分（散乱部７３）の反射板８６と、表示部の周囲に相当する部分（散乱部７７）の反射板８５と、両方の間に相当する部分に反射板の特別の場合として開口部８７を有する。反射板の透過率は、開口部８７がもっとも大きく、表示領域の周囲に相当する部分の反射板８５と画素部に相当する部分の反射板８６とは、ほとんど透過しない。各反射板８５、８６は、アルミニウム（Ａｌ）膜により形成している。
【手続補正２４】
【補正対象書類名】明細書
【補正対象項目名】００５９
【補正方法】変更
【補正の内容】
【００５９】
さらに、アルミニウム膜上には、ポリイミド樹脂膜からなる保護膜８９を印刷法により形成し、保護膜８９上には、透明導電膜からなるセグメント型の信号電極２を設ける。保護膜８９のポリイミド樹脂により、アルミニウム膜と透明導電膜との電気的絶縁性が確保できる。また、下基板１と所定の間隙を設けて配置する上基板６上には、信号電極２と相互に重なり合う透明導電膜からなるセグメント型の対向電極７を設ける。また下基板１上の信号電極２を上基板６上に電気的に配置転換するための接続電極（図示せず）を有する。下基板１上の信号電極２は、シール材（図示せず）に含む導電性ビーズ（図示せず）を介して、上基板６上の接続電極へ電気的に接続する。下基板１と上基板６は、所定の間隙を設けてシール材により貼りあわせ、液晶と透明固形物との混合液晶層１１を封入している。
【手続補正２５】
【補正対象書類名】明細書
【補正対象項目名】００６１
【補正方法】変更
【補正の内容】
【００６１】
以上により、図８に示すように、表示部は周囲より散乱部７７、その内側の開口部８７上に透過部７５、そして、セグメント型の信号電極２と対向電極７の重なり合う領域に散乱部７３を作成することが可能となり、複数の散乱部を透過部内に設けることが可能となる。さらに、下基板１の下側には、エレクトロルミネセンス（ＥＬ）素子８８からなる光源部を設けている。ＥＬ素子８８は、非発光の際にも反射特性を有するものを採用する。たとえば、下基板側より、第１の透明基板、透明導電膜、透明発光層、反射電極、第２の基板の構成とする。
【手続補正２６】
【補正対象書類名】明細書
【補正対象項目名】００６２
【補正方法】変更
【補正の内容】
【００６２】
上記のようなＥＬ素子８８を採用することにより、非発光の際には、透明部は、反射特性のある鏡のような下地となり、散乱部では、白表示が可能となる。ＥＬ素子８８の点灯時には、セグメント型の信号電極２と対向電極７との重なり合う領域では、反射板８６が遮光するが、その周囲の開口部８７より光が入射し、表示が可能となる。そのため、この光の入射は、散乱性を有する混合液晶層１１を利用するために、開口部８７の光を散乱部に導光することができるため、有効な構造である。
【手続補正２７】
【補正対象書類名】明細書
【補正対象項目名】００６４
【補正方法】変更
【補正の内容】
【００６４】
図９に示すように、下基板１の上面には、開口部を有する反射板８６をアルミニウム（Ａｌ）膜で厚さ２００ナノメートル（ｎｍ）に形成する。アルミニウム膜上には、印刷法にて厚さ１００ナノメートル（ｎｍ）のポリイミド樹脂からなる保護膜８９を設ける。さらに、透明導電膜として酸化インジウムスズ（ＩＴＯ）膜を厚さ５０ナノメートル（ｎｍ）、真空スパッタリング法にて形成し、パターン形成してセグメント型の信号電極２を形成する。
【手続補正２８】
【補正対象書類名】明細書
【補正対象項目名】００６６
【補正方法】変更
【補正の内容】
【００６６】
つぎに図１１に示すように、下基板１の下側より４００ナノメートル（ｎｍ）以上の波長からなる光９０を照射する。本工程により、下基板１上の反射板８６の開口部８７の部分に光が照射され、混合液晶層１１に含まれる高分子モノマーの重合が停止する。
【手続補正２９】
【補正対象書類名】明細書
【補正対象項目名】００６７
【補正方法】変更
【補正の内容】
【００６７】
つぎに図１２に示すように、上基板６の上側より３６０ナノメートル（ｎｍ）以上の波長からなる光９１を照射する。本工程により、混合液晶層１１の全面に紫外光９１が照射されるが、図１１に示す反射板８６の開口部８７に相当する部分（透過部７５）は、高分子モノマーの重合が進行しないため、透過状態を維持する。透過部７５以外の領域（散乱部７３）は、紫外光９１により、混合液晶層１１内の高分子モノマーの重合が進行し、ポリマーとなり液晶との屈折率差により散乱が発生する。
【手続補正３０】
【補正対象書類名】明細書
【補正対象項目名】００６８
【補正方法】変更
【補正の内容】
【００６８】
つぎに、図１３に示すように、下基板１の下側の開口部８７に相当する部分には、金色を有する第２の反射板９２を粘着材にて張り付ける。また、上基板６の上側には、混合液晶層１１内の透過部の重合が進行することを防止するために、４２０ナノメートル（ｎｍ）以下の短波長を吸収する紫外線カットフィルム２１を形成し、混合液晶層１１の安定性を確保する。
【手続補正３１】
【補正対象書類名】明細書
【補正対象項目名】００７１
【補正方法】変更
【補正の内容】
【００７１】
まず、図１４に示すように、下基板１上には、透明導電膜として酸化インジウムスズ（ＩＴＯ）膜を厚さ５０ナノメートル（ｎｍ）、真空スパッタリング法にて形成し、パターン形成してセグメント型の信号電極２を形成する。さらに、上基板６上には、透明導電膜として酸化インジウムスズ（ＩＴＯ）膜を厚さ５０ナノメートル（ｎｍ）、真空スパッタリング法にて形成する。つぎに、パターン形成してセグメント型の対向電極７を形成する。以上の下基板１上に導電性ビーズ１２を有するシール材１３をスクリーン印刷法にて形成し、上基板６上に絶縁性のビーズ（図示せず）を噴霧する。以上の下基板１と上基板６とをシール材１３とビーズを有する面にて張り合わせる。つぎに、下基板１と上基板６との間隙に混合液晶層１１を注入し、注入孔（図示せず）を封止する。
【手続補正３２】
【補正対象書類名】明細書
【補正対象項目名】００７２
【補正方法】変更
【補正の内容】
【００７２】
つぎに、下基板１の下側に、ガラス基板９３上に遮光膜９４の材料としてクロム（Ｃｒ）膜を厚さ１５０ナノメートル（ｎｍ）形成し、パターン形成したマスクを使用し、下基板１上の信号電極２と整合して、ガラス基板９３の下側より３６０ナノメートル（ｎｍ）以上の波長からなる光９１を照射する。マスクの遮光膜９４の無い領域に相当する混合液晶層１１には紫外光が照射するため、この混合液晶層１１の高分子モノマーが重合を行い、ポリマーとなり、液晶との屈折率差により、散乱状態となる。
【手続補正３３】
【補正対象書類名】明細書
【補正対象項目名】００７３
【補正方法】変更
【補正の内容】
【００７３】
つぎに、図１５に示すように、遮光膜９４を有するガラス基板９３を除去した状態にて、４００ナノメートル（ｎｍ）以上の波長からなる光９０を照射する。本工程により、全面に光９０が照射されるが、図１４の紫外線９１の照射していない部分の高分子モノマーの重合が停止する。そのため、混合液晶層１１を使用している際に重合が進行する問題を除去できる。上基板６上には、４２０ナノメートル（ｎｍ）より短波長を吸収、あるいは反射する紫外線カットフィルムを印刷、あるいは貼り付け、あるいは置くことにより、さらに透過部の安定性が向上する。
【手続補正３４】
【補正対象書類名】明細書
【補正対象項目名】００７６
【補正方法】変更
【補正の内容】
【００７６】
この構成は、透明状態の領域に散乱部を表示する場合には、非常に有効である。たとえば、カメラ用ファインダー内の表示、時計の風防ガラス上の表示、液晶表示パネルと太陽電池装置との組み合わせの場合には、非常に好都合である。
【手続補正３５】
【補正対象書類名】明細書
【補正対象項目名】００７８
【補正方法】変更
【補正の内容】
【００７８】
また、紫外線を選択的に照射するためのマスクと反射板とを兼用することにより、散乱度の大きな表示部と透過率の大きな非表示部とを反射板と自己整合的に作成可能なため、小さい表示部の形成に有効である。また、波長の異なる光の照射方向を別にすることにより、さらに透過率を可変とすることができる。
【手続補正３６】
【補正対象書類名】明細書
【補正対象項目名】００８０
【補正方法】変更
【補正の内容】
【００８０】
また、透明固形物内と透明固形物の重合を抑制する重合停止光を照射する工程においては、重合停止光を照射しない部分には重合停止光を遮光するマスクを利用して、照射する、あるいは、反射電極を兼用する信号電極をマスクに利用する。あるいは、小面積に集光するビーム光を利用してマスクなしで照射する方法を採用することにより、簡単に同一液晶表示パネル内に散乱性の異なる領域を形成することができる。さらに、重合停止光のエネルギー、あるいは、重合開始光のエネルギーを複数種類使用することにより、複数の散乱性を有する領域を形成することができる。
【手続補正３７】
【補正対象書類名】明細書
【補正対象項目名】図２
【補正方法】変更
【補正の内容】
【図２】
本発明のセグメント型の電極部を拡大した平面模式図である。
【手続補正３８】
【補正対象書類名】明細書
【補正対象項目名】図４
【補正方法】変更
【補正の内容】
【図４】
本発明の第１の実施形態におけるパネル部分の断面の一部拡大図である。
【手続補正３９】
【補正対象書類名】明細書
【補正対象項目名】図１７
【補正方法】変更
【補正の内容】
【図１７】
従来技術におけるパネル部分の断面の一部拡大図である。
【手続補正４０】
【補正対象書類名】明細書
【補正対象項目名】符号の説明
【補正方法】変更
【補正の内容】
【符号の説明】
１  下基板
２  信号電極
６  上基板
７  対向電極
８  接続電極
１１  混合液晶層
１２  導電性ビーズ
１３  シール材
２１  紫外線カットフィルム
２２  反射板
３１  時計ケース
３２  風防ガラス
３３  裏蓋
３４  回路基板
３５  電池
３６  ゼブラゴム
３７  見切り板
３８  発光ダイオード
３９  パネル押さえ
４０  裏押え
７１  色フィルム
７２  太陽電池
７３  散乱部
７５  透過部
７６  スペーサー
７７  散乱部
８１、８２、８３  印刷層
８６  反射板
８７  開口部
８８  エレクトロルミネセンス（ＥＬ）素子
８９  保護膜
９０  ４００ナノメートル（ｎｍ）より長波長光
９１  ３６０ナノメートル（ｎｍ）より長波長光
９２  反射板（第２の反射板）
９３  ガラス基板
９４  遮光膜
【手続補正４１】
【補正対象書類名】図面
【補正対象項目名】図２
【補正方法】変更
【補正の内容】
【図２】
1999258576.tif 000001
【手続補正４２】
【補正対象書類名】図面
【補正対象項目名】図３
【補正方法】変更
【補正の内容】
【図３】
1999258576.tif 000002
【手続補正４３】
【補正対象書類名】図面
【補正対象項目名】図５
【補正方法】変更
【補正の内容】
【図５】
1999258576.tif 000003
【手続補正４４】
【補正対象書類名】図面
【補正対象項目名】図６
【補正方法】変更
【補正の内容】
【図６】
1999258576.tif 000004
【手続補正４５】
【補正対象書類名】図面
【補正対象項目名】図７
【補正方法】変更
【補正の内容】
【図７】
1999258576.tif 000005
【手続補正４６】
【補正対象書類名】図面
【補正対象項目名】図８
【補正方法】変更
【補正の内容】
【図８】
1999258576.tif 000006
【手続補正４７】
【補正対象書類名】図面
【補正対象項目名】図９
【補正方法】変更
【補正の内容】
【図９】
1999258576.tif 000007
【手続補正４８】
【補正対象書類名】図面
【補正対象項目名】図１０
【補正方法】変更
【補正の内容】
【図１０】
1999258576.tif 000008
【手続補正４９】
【補正対象書類名】図面
【補正対象項目名】図１１
【補正方法】変更
【補正の内容】
【図１１】
1999258576.tif 000009
【手続補正５０】
【補正対象書類名】図面
【補正対象項目名】図１２
【補正方法】変更
【補正の内容】
【図１２】
1999258576.tif 000010
【手続補正５１】
【補正対象書類名】図面
【補正対象項目名】図１３
【補正方法】変更
【補正の内容】
【図１３】
1999258576.tif 000011
【手続補正５２】
【補正対象書類名】図面
【補正対象項目名】図１４
【補正方法】変更
【補正の内容】
【図１４】
1999258576.tif 000012
【手続補正５３】
【補正対象書類名】図面
【補正対象項目名】図１５
【補正方法】変更
【補正の内容】
【図１５】
1999258576.tif 000013
【手続補正５４】
【補正対象書類名】図面
【補正対象項目名】図１７
【補正方法】変更
【補正の内容】
【図１７】
1999258576.tif 000014